【手続補正書】
【提出日】平成18年7月6日(2006.7.6)
【手続補正１】
【補正対象書類名】明細書
【補正対象項目名】特許請求の範囲
【補正方法】変更
【補正の内容】
【特許請求の範囲】 
【請求項１】   デジタル情報からなるコンテンツに複製に関する制御情報を入れることにより複製を管理する複製管理方法であって、
所定範囲内のコンテンツに対する前記制御情報の変化位置および前記各変化位置で変化する前記制御情報の内容を含むテーブルを前記コンテンツとともに配布することを特徴とする複製管理方法。
【請求項２】   前記テーブルを前記コンテンツに周期的に付加することを特徴とする請求項１に記載の複製管理方法。
【請求項３】   前記テーブルを前記コンテンツの再生に先立ち再生される部分に付加することを特徴とする請求項１に記載の複製管理方法。
【請求項４】   前記テーブルをスクランブルして前記コンテンツの副情報として付加し、
前記スクランブルを解除するキーを電子透かしとして前記コンテンツ内に埋め込むことを特徴とする請求項１〜３のいずれか１項に記載の複製管理方法。
【請求項５】   前記テーブルを電子透かしとして前記コンテンツ内に埋め込むことを特徴とする請求項１〜３のいずれか１項に記載の複製管理方法。
【請求項６】   デジタル情報からなるコンテンツに複製に関する制御情報を入れることにより複製を管理する複製管理装置であって、
所定範囲内のコンテンツに対する前記制御情報の変化位置および前記各変化位置で変化する前記制御情報の内容を含むテーブルを前記コンテンツに対して付加するテーブル付加手段を備えることを特徴とする複製管理装置。
【請求項７】   前記テーブル付加手段は、前記テーブルを前記コンテンツに周期的に付加することを特徴とする請求項６に記載の複製管理装置。
【請求項８】   前記テーブル付加手段は、前記テーブルを前記コンテンツの再生に先立ち再生される部分に付加することを特徴とする請求項６に記載の複製管理装置。
【請求項９】   前記テーブル付加手段は、前記テーブルをスクランブルして前記コンテンツの副情報として付加し、
前記スクランブルを解除するキーを電子透かしとして前記コンテンツ内に埋め込むことを特徴とする請求項６〜８のいずれか１項に記載の複製管理装置。
【請求項１０】   前記テーブル付加手段は、前記テーブルを電子透かしとして前記コンテンツ内に埋め込むことを特徴とする請求項６〜８のいずれか１項に記載の複製管理装置。
【請求項１１】   デジタル情報からなるコンテンツに複製に関する制御情報が記録された記録媒体であって、
所定範囲内のコンテンツに対する前記制御情報の変化位置および前記各変化位置で変化する前記制御情報の内容を含むテーブルが記録されていることを特徴とする記録媒体。
【請求項１２】   前記テーブルを前記コンテンツに周期的に記録することを特徴とする請求項１１に記載の記録媒体。
【請求項１３】   前記テーブルが前記コンテンツの再生に先立ち再生される部分に記録されていることを特徴とする請求項１１に記載の記録媒体。
【請求項１４】   前記テーブルがスクランブルされて前記コンテンツの副情報として記録され、
前記スクランブルを解除するキーが電子透かしとして前記コンテンツ内に埋め込まれていることを特徴とする請求項１１〜１３のいずれか１項に記載の記録媒体。
【請求項１５】   前記テーブルを電子透かしとして埋め込まれていることを特徴とする請求項１１〜１３のいずれか１項に記載の記録媒体。
【請求項１６】   デジタル情報からなるコンテンツに埋め込まれた複製に関する制御情報に応じた制御を実行する複製管理装置であって、
所定範囲内のコンテンツに対する前記制御情報の変化位置および前記各変化位置で変化する前記制御情報の内容を含むテーブルを読み取るテーブル読取手段と、
前記制御情報の変化位置を検出する変化位置検出手段と、
前記変化位置検出手段により前記変化位置が検出されると、前記テーブル読取手段により読み取られた前記テーブルの情報に従って前記複製管理装置の処理を変更する制御手段と、を備えることを特徴とする複製管理装置。
【請求項１７】   前記テーブル読取手段は、前記コンテンツに周期的に付加された前記テーブルを読み取ることを特徴とする請求項１６に記載の複製管理装置。
【請求項１８】   前記テーブル読取手段は、前記コンテンツの再生に先立って前記テーブルを読み取ることを特徴とする請求項１６に記載の複製管理装置。
【請求項１９】   前記テーブル読取手段は、スクランブルされ、また前記コンテンツの副情報として記録された前記テーブルを読み取り、
前記複製管理装置は、前記コンテンツ内に埋め込まれた前記テーブルのスクランブルを解除するキーを読み取る電子透かし読取手段と、
前記テーブル読取手段により読み取られた前記テーブルのスクランブルを、前記電子透かし読取手段により読み取られた前記キーに基づき解除するスクランブル解除手段と、を備えることを特徴とする請求項１６〜１８のいずれか１項に記載の複製管理装置。
【請求項２０】   前記コンテンツを再生する再生手段と、
前記再生手段から出力されたアナログ再生信号にコピー制御信号を重畳する信号重畳手段と、を備え、
前記制御手段は前記信号重畳手段の動作を制御することを特徴とする請求項１６〜１９のいずれか１項に記載の複製管理装置。
【請求項２１】   前記コンテンツを記録媒体に記録する記録手段を備え、
前記制御手段は前記記録手段の記録動作を制御することを特徴とする請求項１６〜１９のいずれか１項に記載の複製管理装置。
【請求項２２】   前記コンテンツを受信する受信手段と、
前記受信手段から出力されたアナログ再生信号にコピー制御信号を重畳する信号重畳手段と、を備え、
前記制御手段は前記信号重畳手段の動作を制御することを特徴とする請求項１６〜１９のいずれか１項に記載の複製管理装置。
【請求項２３】   デジタル情報からなるコンテンツに複製に関する制御情報を記録媒体に記録する処理をコンピュータに実行させるためのプログラムであって、
前記記録媒体に記録されたコンテンツに対する前記制御情報の変化位置および前記各変化位置で変化する前記制御情報の内容を含むテーブルを生成する手順と、
前記テーブルおよび前記コンテンツを記録媒体に記録する手順と、を規定することを特徴とするプログラム。
【請求項２４】   前記記録する手順は、前記テーブルを前記コンテンツの再生に先立ち再生される部分に記録することを特徴とする請求項２３に記載のプログラム。
【手続補正２】
【補正対象書類名】明細書
【補正対象項目名】００１１
【補正方法】変更
【補正の内容】
【００１１】
【課題を解決するための手段】  本発明の複製管理方法は、デジタル情報からなるコンテンツに複製に関する制御情報を入れることにより複製を管理する複製管理方法であって、所定範囲内のコンテンツに対する制御情報の変化位置および各変化位置で変化する制御情報の内容を含むテーブルをコンテンツとともに配布することを特徴とする。
【手続補正３】
【補正対象書類名】明細書
【補正対象項目名】００１４
【補正方法】変更
【補正の内容】
【００１４】
テーブルをコンテンツに周期的に付加してもよい。
【手続補正４】
【補正対象書類名】明細書
【補正対象項目名】００１６
【補正方法】変更
【補正の内容】
【００１６】
テーブルをコンテンツの再生に先立ち再生される部分に付加してもよい。
【手続補正５】
【補正対象書類名】明細書
【補正対象項目名】００１８
【補正方法】変更
【補正の内容】
【００１８】
テーブルをスクランブルしてコンテンツの副情報として付加し、スクランブルを解除するキーを電子透かしとしてコンテンツ内に埋め込んでもよい。
【手続補正６】
【補正対象書類名】明細書
【補正対象項目名】００２０
【補正方法】変更
【補正の内容】
【００２０】
テーブルを電子透かしとしてコンテンツ内に埋め込んでもよい。
【手続補正７】
【補正対象書類名】明細書
【補正対象項目名】００２２
【補正方法】変更
【補正の内容】
【００２２】
本発明の複製管理装置は、デジタル情報からなるコンテンツに複製に関する制御情報を入れることにより複製を管理する複製管理装置であって、所定範囲内のコンテンツに対する制御情報の変化位置および各変化位置で変化する制御情報の内容を含むテーブルをコンテンツに対して付加するテーブル付加手段を備えることを特徴とする。
【手続補正８】
【補正対象書類名】明細書
【補正対象項目名】００２４
【補正方法】変更
【補正の内容】
【００２４】
テーブル記録手段は、テーブルをコンテンツに周期的に付加してもよい。
【手続補正９】
【補正対象書類名】明細書
【補正対象項目名】００２６
【補正方法】変更
【補正の内容】
【００２６】
テーブルをコンテンツの再生に先立ち再生される部分に付加してもよい。
【手続補正１０】
【補正対象書類名】明細書
【補正対象項目名】００２８
【補正方法】変更
【補正の内容】
【００２８】
テーブルをスクランブルしてコンテンツの副情報として付加し、スクランブルを解除するキーを電子透かしとしてコンテンツ内に埋め込んでもよい。
【手続補正１１】
【補正対象書類名】明細書
【補正対象項目名】００３０
【補正方法】変更
【補正の内容】
【００３０】
テーブルを電子透かしとしてコンテンツに埋め込んでもよい。
【手続補正１２】
【補正対象書類名】明細書
【補正対象項目名】００３４
【補正方法】変更
【補正の内容】
【００３４】
テーブルをコンテンツ内に周期的に記録されていてもよい。
【手続補正１３】
【補正対象書類名】明細書
【補正対象項目名】００３６
【補正方法】変更
【補正の内容】
【００３６】
テーブルがコンテンツの再生に先立ち再生される部分に記録されていてもよい。
【手続補正１４】
【補正対象書類名】明細書
【補正対象項目名】００３８
【補正方法】変更
【補正の内容】
【００３８】
テーブルがスクランブルされてコンテンツの副情報として記録され、スクランブルを解除するキーを電子透かしとしてコンテンツ内に埋め込まれていてもよい。
【手続補正１５】
【補正対象書類名】明細書
【補正対象項目名】００４０
【補正方法】変更
【補正の内容】
【００４０】
テーブルを電子透かしとして埋め込まれていてもよい。
【手続補正１６】
【補正対象書類名】明細書
【補正対象項目名】００４４
【補正方法】変更
【補正の内容】
【００４４】
テーブル読取手段（１０４等）は、コンテンツに周期的に付加されたテーブルを読み取ってもよい。
【手続補正１７】
【補正対象書類名】明細書
【補正対象項目名】００４８
【補正方法】変更
【補正の内容】
【００４８】
テーブル読取手段（１０４等）は、スクランブルされ、またコンテンツの副情報として記録されたテーブルを読み取り、複製管理装置は、コンテンツ内に埋め込まれたテーブルのスクランブルを解除するキーを読み取る電子透かし読取手段と、テーブル読取手段（１０４等により読み取られたテーブルのスクランブルを、電子透かし読取手段により読み取られたキーに基づき解除するスクランブル解除手段と、を備えてもよい。
【手続補正１８】
【補正対象書類名】明細書
【補正対象項目名】００５２
【補正方法】変更
【補正の内容】
【００５２】
コンテンツを記録媒体に記録する記録手段を備え、制御手段は記録手段の記録動作を制御してもよい。
【手続補正１９】
【補正対象書類名】明細書
【補正対象項目名】００６０
【補正方法】削除
【補正の内容】
【手続補正２０】
【補正対象書類名】明細書
【補正対象項目名】００６１
【補正方法】削除
【補正の内容】
【手続補正２１】
【補正対象書類名】明細書
【補正対象項目名】０１１０
【補正方法】変更
【補正の内容】
【０１１０】
次に、ステップＳ１２５では、記録が終了したか否か判断し、判断が肯定されれば図５の処理を終了し、判断が否定されればステップＳ１０２へ戻る。
【手続補正２２】
【補正対象書類名】図面
【補正対象項目名】図５
【補正方法】変更
【補正の内容】
【図５】
2002268949.tif 000001